(57)【特許請求の範囲】
【請求項１】
火災を検知した際に火災信号を出力する火災報知端末から受信した信号を、受信装置に中継する中継装置であって、
前記火災報知端末は、前記火災信号を有線にて当該中継装置に出力する有線式の火災報知端末と、前記火災信号を無線にて当該中継装置に出力する無線式の火災報知端末とを含み、
自己に有線接続されている前記有線式の火災報知端末から前記火災信号を有線にて受信する受信手段と、
前記有線式の火災報知端末を一意に識別するための第１識別情報を、前記受信手段に関連付けて格納する第１識別情報格納手段と、
前記有線式の火災報知端末から前記火災信号を有線にて受信した際、当該受信を行った受信手段に関連付けられた前記第１識別情報を前記第１識別情報格納手段から取得し、当該取得した第１識別情報を当該受信した火災信号に付加する火災信号生成手段と、
前記火災信号生成手段にて前記第１識別情報が付加された火災信号を無線にて送信する無線送信手段とを備え、
前記無線式の火災報知端末を一意に識別するための第２識別情報を含む前記火災信号を前記無線式の火災報知端末から無線にて受信した場合に、当該受信した火災信号を無線で送信する、
中継装置。
【請求項２】
前記有線式の火災報知端末は、複数設けられており、
前記受信手段は、前記複数の有線式の火災報知端末に応じた数だけ設けられており、
前記第１識別情報格納手段は、前記複数の有線式の火災報知端末の各々の前記第１識別情報を格納する、
請求項１に記載の中継装置。
【請求項３】
火災を検知した際に火災信号を出力する火災報知端末から受信した信号を、受信装置に中継する中継装置であって、
前記火災報知端末は、前記火災信号を有線にて当該中継装置に出力する有線式の火災報知端末を含み、
自己に有線接続されている前記有線式の火災報知端末から前記火災信号を有線にて受信する受信手段と、
前記有線式の火災報知端末を一意に識別するための第１識別情報を、前記受信手段に関連付けて格納する第１識別情報格納手段と、
前記有線式の火災報知端末から前記火災信号を有線にて受信した際、当該受信を行った受信手段に関連付けられた前記第１識別情報を前記第１識別情報格納手段から取得し、当該取得した第１識別情報を当該受信した火災信号に付加する火災信号生成手段と、
前記火災信号生成手段にて前記第１識別情報が付加された火災信号を無線にて送信する無線送信手段とを備え、
前記有線式の火災報知端末は、複数設けられており、
前記受信手段は、前記複数の有線式の火災報知端末に応じた数だけ設けられており、
前記第１識別情報格納手段は、前記複数の有線式の火災報知端末の各々の前記第１識別情報を格納する、
中継装置。
【発明の詳細な説明】
【技術分野】
【０００１】
本発明は、中継装置に関する。
【背景技術】
【０００２】
従来から、様々な種類の端末機器を用いて火災発生を報知する防災システムが利用されている。図１３は、従来の防災システム１０１の概略図である。図１３に示すように、この防災システム１０１は、建物の各階層において、火災が検知された場合に火災を報知する火災信号を送信する有線式感知器１１０及び無線式感知器１２０と、押しボタンが操作された場合に火災信号を送信する発信機１３０と、無線式感知器１２０から受信した火災信号を受信機１５０に中継する受信装置１４０と、有線式感知器１１０、発信機１３０、又は受信装置１４０から信号線１０２を介して火災信号を受信する受信機１５０とを備えて構成されている。また、この信号線１０２は、Ａ線１０２ａ、Ｃ線１０２ｂ、及びＬ線１０２ｃを含んで構成されている。Ａ線１０２ａは、発信機１３０と受信装置１４０とを相互に接続し、受信装置１４０と受信機１５０とを相互に接続している。また、Ａ線１０２ａは、建物の各階層毎に設けられた発信機１３０に渡り接続されている。一方、Ｃ線１０２ｂ及びＬ線１０２ｃは、発信機１３０と有線式感知器１１０とを相互に接続し、有線式感知器１１０と受信装置１４０とを相互に接続し、及び受信装置１４０と受信機１５０とを相互に接続している。なお、Ａ線１０２ａとＣ線１０２ｂとの間、及びＬ線１０２ｃとＣ線１０２ｂとの間には、受信機１５０から所定の電圧が印加されている。また、Ｌ線１０２ｃ及びＣ線１０２ｂの終端には図示しない終端器（例えば抵抗器）が接続されており、受信機は、電気的に終端器の接続の有無を判断することで（例えば、前述のＬ線１０２ｃから終端器を介してＣ線１０２ｂに流れる電流が所定範囲にあるか否かを判断することで）、Ｌ線１０２ｃ及びＣ線１０２ｂが断線しているか否かの確認を行っている。
【０００３】
このような防災システム１０１の構成においては、端末機器の火災信号を受信機１５０に送信する方法としては、例えば、端末機器が、当該端末機器と接続された信号線１０２を短絡させることにより、当該端末機器の火災信号を受信機１５０に送信する。具体的には、発信機１３０の火災信号の場合には、当該発信機１３０が、当該発信機１３０と接続されたＡ線１０２ａ、Ｃ線１０２ｂ、及びＬ線１０２ｃを短絡させることによりＡ線１０２ａ及びＬ線１０２ｃからＣ線１０２ｂに向けて電流が流れるようにし、その電流を受信機１５０に検知させることにより、当該発信機１３０の火災信号を受信機１５０に送信する。また、有線式感知器１１０の火災信号の場合には、当該有線式感知器１１０が、当該有線感知器と接続されたＣ線１０２ｂ及びＬ線１０２ｃを短絡させることにより、当該有線式感知器１１０の火災信号を受信機１５０に送信する。また、無線式感知器１２０の火災信号の場合には、受信装置１４０が、無線式感知器１２０から火災信号を受信した後に、当該受信装置１４０と接続されたＣ線１０２ｂ及びＬ線１０２ｃを短絡させることにより、Ｌ線１０２ｃからＣ線１０２ｂに向けて電流が流れるようにし、その電流を受信機１５０に検知させることにより、当該有線式感知器１１０の火災信号を受信機１５０に送信する（例えば、特許文献１参照）。
【先行技術文献】
【特許文献】
【０００４】
【特許文献１】特開平０８−１８５５９０号公報
【発明の概要】
【発明が解決しようとする課題】
【０００５】
ここで、上記有線式感知器１１０及び発信機１３０の設置においては、上記無線式感知器１２０の設置に比べて設置コストと手間がかかっていた。このため、従来の防災システム１０１においては、端末機器の無線化を図るようなニーズが高まってきている。
【０００６】
しかしながら、このような従来の防災システム１０１において、端末機器の無線化を図ることに関して問題があった。例えば、図１３に示す受信装置１４０は、有線式の端末機器（図１３の例では、有線式感知器１１０、発信機１３０）から送信される火災信号を有線でしか受信することができない。このため、受信装置１４０が火災信号を無線で受信する方法としては、例えば有線式の端末機器に無線機能を持たせる方法が考えられる。しかしながら、有線式の端末機器には、多種多様な感知器等がすでに販売・設置されており、それらの機器すべてについて無線機能を持ったものを開発することには、コストがかかり、ひいては、製品コストの増加を招くおそれがあった。
【０００７】
本発明は、上記に鑑みてなされたものであって、有線式の端末機器から受信した火災信号を受信装置に無線で送信することができる、中継装置を提供することを目的とする。
【課題を解決するための手段】
【０００８】
上述した課題を解決し、目的を達成するために、請求項１に記載の中継装置は、火災を検知した際に火災信号を出力する火災報知端末から受信した信号を、受信装置に中継する中継装置であって、前記火災報知端末は、前記火災信号を有線にて当該中継装置に出力する有線式の火災報知端末と、前記火災信号を無線にて当該中継装置に出力する無線式の火災報知端末とを含み、自己に有線接続されている前記有線式の火災報知端末から前記火災信号を有線にて受信する受信手段と、前記有線式の火災報知端末を一意に識別するための第１識別情報を、前記受信手段に関連付けて格納する第１識別情報格納手段と、前記有線式の火災報知端末から前記火災信号を有線にて受信した際、当該受信を行った受信手段に関連付けられた前記第１識別情報を前記第１識別情報格納手段から取得し、当該取得した第１識別情報を当該受信した火災信号に付加する火災信号生成手段と、前記火災信号生成手段にて前記第１識別情報が付加された火災信号を無線にて送信する無線送信手段とを備え、前記無線式の火災報知端末を一意に識別するための第２識別情報を含む前記火災信号を前記無線式の火災報知端末から無線にて受信した場合に、当該受信した火災信号を無線で送信する。
【０００９】
また、請求項２に記載の中継装置は、請求項１に記載の中継装置において、前記有線式の火災報知端末は、複数設けられており、前記受信手段は、前記複数の有線式の火災報知端末に応じた数だけ設けられており、前記第１識別情報格納手段は、前記複数の有線式の火災報知端末の各々の前記第１識別情報を格納する。
【００１０】
また、請求項３に記載の中継装置は、火災を検知した際に火災信号を出力する火災報知端末から受信した信号を、受信装置に中継する中継装置であって、前記火災報知端末は、前記火災信号を有線にて当該中継装置に出力する有線式の火災報知端末を含み、自己に有線接続されている前記有線式の火災報知端末から前記火災信号を有線にて受信する受信手段と、前記有線式の火災報知端末を一意に識別するための第１識別情報を、前記受信手段に関連付けて格納する第１識別情報格納手段と、前記有線式の火災報知端末から前記火災信号を有線にて受信した際、当該受信を行った受信手段に関連付けられた前記第１識別情報を前記第１識別情報格納手段から取得し、当該取得した第１識別情報を当該受信した火災信号に付加する火災信号生成手段と、前記火災信号生成手段にて前記第１識別情報が付加された火災信号を無線にて送信する無線送信手段とを備え、前記有線式の火災報知端末は、複数設けられており、前記受信手段は、前記複数の有線式の火災報知端末に応じた数だけ設けられており、前記第１識別情報格納手段は、前記複数の有線式の火災報知端末の各々の前記第１識別情報を格納する。
【発明の効果】
【００１１】
請求項１に記載の中継装置によれば、当該中継装置は、自己に有線接続されている有線式の火災報知端末から火災信号を有線にて受信した場合に、火災信号生成手段が当該受信を行った受信手段に関連付けられた第１識別情報を第１識別情報格納手段から取得し、当該取得した第１識別情報を当該受信した火災信号に付加し、無線送信手段が火災信号生成手段にて第１識別情報が付加された火災信号を無線にて送信するので、有線式の火災報知端末を容易に無線化することができる。また、当該中継装置は、有線式の火災報知端末の火災信号を容易に識別でき、火災の位置を容易に特定することができる。
また、当該中継装置が有線式の火災報知端末又は無線式の火災報知端末から火災信号を受信して、当該受信した火災信号を送信する場合において、無線式の火災報知端末を一意に識別するための無線端末識別情報を含む火災信号を無線式の火災報知端末から無線にて受信した場合に、当該受信した火災信号も無線で送信するので、有線式の火災報知端末又は無線式の火災報知端末の火災信号を容易に識別でき、火災の位置を容易に特定することができる。
【００１２】
また、請求項２に記載の中継装置によれば、有線式の火災報知端末は、複数設けられている場合において、有線式の火災報知端末から火災信号を有線にて受信した際、火災信号生成手段が当該受信を行った受信手段に関連付けられた第１識別情報を第１識別情報格納手段から取得し、当該取得した第１識別情報を当該受信した火災信号に付加し、無線送信手段が火災信号生成手段にて第１識別情報が付加された火災信号を無線にて送信するので、有線式の火災報知端末の火災信号を容易に識別でき、火災の位置を一層容易に特定することができる。また、当該中継装置は、１つの中継装置で複数の有線式の火災報知端末に対応できるので、既設の有線式の火災報知端末から無線式の火災報知端末への取り替えに比べて、安価かつ容易に火災報知端末の無線化を実現することができる。
【００１３】
また、請求項３に記載の中継装置によれば、当該中継装置は、自己に有線接続されている有線式の火災報知端末から火災信号を有線にて受信した場合に、火災信号生成手段が当該受信を行った受信手段に関連付けられた第１識別情報を第１識別情報格納手段から取得し、当該取得した第１識別情報を当該受信した火災信号に付加し、無線送信手段が火災信号生成手段にて第１識別情報が付加された火災信号を無線にて送信するので、有線式の火災報知端末を容易に無線化することができる。また、当該中継装置は、有線式の火災報知端末の火災信号を容易に識別でき、火災の位置を容易に特定することができる。
また、有線式の火災報知端末は、複数設けられている場合において、有線式の火災報知端末から火災信号を有線にて受信した際、火災信号生成手段が当該受信を行った受信手段に関連付けられた第１識別情報を第１識別情報格納手段から取得し、当該取得した第１識別情報を当該受信した火災信号に付加し、無線送信手段が火災信号生成手段にて第１識別情報が付加された火災信号を無線にて送信するので、有線式の火災報知端末の火災信号を容易に識別でき、火災の位置を一層容易に特定することができる。また、当該中継装置は、１つの中継装置で複数の有線式の火災報知端末に対応できるので、既設の有線式の火災報知端末から無線式の火災報知端末への取り替えに比べて、安価かつ容易に火災報知端末の無線化を実現することができる。
【図面の簡単な説明】
【００１４】
【図１】火災報知システムの構成を示す概略図である。
【図２】受信機と有線式中継装置との信号線の接続状況を示す概要図である。
【図３】発信機の電気的構成を概念的に示すブロック図である。
【図４】有線式中継装置の電気的構成を概念的に示すブロック図である。
【図５】有線端末識別情報テーブルに格納される情報の内容を例示した表である。
【図６】無線式中継装置の電気的構成を概念的に示すブロック図である。
【図７】受信装置の電気的構成を概念的に示すブロック図である。
【図８】信号出力部の各端子の接続状況を示す概略図である。
【図９】移報方法テーブルに格納される情報の内容を例示した表である。
【図１０】第１有線式感知器、発信機、有線式中継装置、及び受信装置が実行する中継処理の流れを示したフローチャートである。
【図１１】図１０に続く第１有線式感知器、発信機、有線式中継装置、及び受信装置が実行する中継処理の流れを示したフローチャートである。
【図１２】有線式中継装置及び受信装置の中継処理のフローチャートである。
【図１３】従来の防災システムの概略図である。
【発明を実施するための形態】
【００１５】
以下に添付図面を参照して、この発明に係る中継装置の実施の形態を詳細に説明する。最初に、この中継装置を備えて構成された火災報知システムの全体構成を説明し、次に、この中継装置の構成を説明し、火災報知システムを構成する各機器が実行する中継処理の流れについて説明し、この中継装置の中継処理について説明し、最後に本実施の形態に対する変形例について説明する。ただし、この実施の形態によって本発明が限定されるものではない。なお、実施の形態に係る中継装置の設置対象や適用対象は任意であるが、以下では、オフィスビルの屋内に設置された中継装置であって、無線信号によって中継を行なう無線式中継装置と、有線信号によって中継を行う有線式中継装置のうち、有線式中継装置に適用した場合を例として説明を行う。
【００１６】
〔実施の形態〕
（構成−火災報知システム）
図１は火災報知システムの構成を示す概略図である。図１に示すように、火災報知システム１は、無線式感知器１０、第１有線式感知器２０、第２有線式感知器３０、発信機４０、有線式中継装置５０、無線式中継装置６０、受信装置７０、及び受信機８０を備えて構成されている。無線式感知器１０、第１有線式感知器２０、第２有線式感知器３０、発信機４０、有線式中継装置５０、無線式中継装置６０、及び受信装置７０は、建物の各階における天井や壁に配置されている。このうち、無線式感知器１０、第１有線式感知器２０、第２有線式感知器３０、及び発信機４０は、それぞれ法定の設置基準（例えば機器の設置間隔、床面積あたりの機器の設置数等）を満たすように、各階毎に１台又は複数台が配置されている。有線式中継装置５０は、第１有線式感知器２０、第２有線式感知器３０が設置されている階に１台又は複数台が配置されている（図１の例では２階に設置）。また、有線式中継装置５０及び第１有線式感知器２０、又は有線式中継装置５０及び第２有線式感知器３０は、信号線３及び図示しない電源線により接続されている。無線式中継装置６０は、各階において中継対象となる無線式感知器１０、発信機４０、及び有線式中継装置５０と、受信装置７０との相互間に配置されている。受信装置７０は、各階に１台配置されている。受信機８０は、建物に１台配置されており、例えば建物の管理人室に設置されている。また、これら受信装置７０及び受信機８０は、信号線２及び電源線４により接続されている。
【００１７】
ここで、無線式感知器１０及び発信機４０は、火災を報知する火災信号又は火災からの復旧を報知する火災復旧信号を送信する無線式の火災報知端末である。一方、第１有線式感知器２０及び第２有線式感知器３０は、火災信号又は火災復旧信号を送信する有線式の火災報知端末である。有線式中継装置５０は、第１有線式感知器２０又は第２有線式感知器３０から火災信号又は火災復旧信号を信号線３を介して受信し、当該受信した火災信号又は火災復旧信号を無線式中継装置６０及び／又は受信装置７０に中継したり、図示しない電源線を介して第１有線式感知器２０又は第２有線式感知器３０への電力供給を行うものである。また、この有線式中継装置５０は、発信機４０から火災信号又は火災復旧信号を無線で受信し、当該受信した火災信号又は火災復旧信号を無線式中継装置６０及び／又は受信装置７０に中継するものでもある。無線式中継装置６０は、無線式感知器１０、発信機４０、又は有線式中継装置５０から火災信号又は火災復旧信号を受信し、当該受信した火災信号又は火災復旧信号を受信装置７０に中継するものである。受信装置７０は、無線式感知器１０、発信機４０、有線式中継装置５０、及び／又は無線式中継装置６０から送信された火災信号又は火災復旧信号を受信し、当該受信した火災信号を信号線２を介して受信機８０に出力するものである。受信機８０は、受信装置７０から信号線２を介して入力された情報に基づき、警報表示や警報音の出力等の各種処理を実行したり、電源線４を介して受信装置７０への電力供給を行うものである。
【００１８】
次に、信号線２を介した各端末機器の接続形態について説明する。本実施の形態において、火災報知システム１は、いわゆるＰ型１級又はＰ型２級の火災報知システムとして構成されている。図２は、信号線２の接続状況を示す概要図である。この図２に示すように、信号線２は、Ａ線２ａ、Ｃ線２ｂ、及びＬ線２ｃを含んで構成されており、これらＡ線２ａ、Ｃ線２ｂ、及びＬ線２ｃは、受信装置７０及び受信機８０を相互に接続する。また、Ａ線２ａは、建物の各階毎に設けられた受信装置７０に渡り接続されている（図示省略）。Ａ線２ａとＣ線２ｂ（以下「Ａ−Ｃ線」２ｄという）は、受信装置７０にて受信された発信機４０の火災信号を受信機８０に向けて送信する線である。また、Ｌ線２ｃとＣ線２ｂ（以下「Ｌ−Ｃ線」２ｅという）は、受信装置７０にて受信された無線式感知器１０、第１有線式感知器２０、又は第２有線式感知器３０の火災信号を送信する線であり、発信機４０の火災信号を送信する線でもある。各系統（ここでは、建物の各階毎）のＬ−Ｃ線２ｅにおける終端には、図示しない終端抵抗が設けられている。
【００１９】
（構成−火災報知システム−無線式感知器）
次に、無線式感知器１０の構成について説明する。無線式感知器１０は、センサ部、無線送信部、及び電源部を備えて構成されている（図示省略）。センサ部は、温度や煙濃度等を検知するための検知手段である。無線送信部は、火災信号又は火災復旧信号を送信する無線送信手段である。この無線送信部は、例えば、図示しない火災判断部によって、センサ部における温度や煙濃度の検知結果をもとに、この検知結果が閾値よりも高いと判断された場合に、無線送信部は火災信号を送信する。また、当該火災信号が送信された後、図示しない火災判断部によって、検知結果が閾値よりも低いと判断された場合に、無線送信部は火災復旧信号を送信する。また、この無線送信部は、例えば、無線式感知器１０が備える公知の記憶手段（図示省略）に予め記憶された情報であって、当該無線式感知器１０を一意に識別する無線端末識別情報を火災信号又は火災復旧信号に含めて送信する（後述する発信機４０の無線送信部４３についても同様）。ここで、公知の記憶手段に記憶される無線端末識別情報としては、例えば無線式感知器１０のアドレス番号又はシリアル番号を用いることができる（後述する発信機４０の無線端末識別情報についても同様）。電源部は、無線式感知器１０の各部に電力を供給する電力供給手段であり、例えば公知の乾電池や充電池を備えて構成される（後述する発信機４０の電源部４５、有線式中継装置５０の電源部５５、及び無線式中継装置６０の電源部６４についても同様）。なお、無線端末識別情報は、特許請求の範囲における第２識別情報に対応するものである。
【００２０】
（構成−火災報知システム−第１有線式感知器及び第２有線式感知器）
次に、第１有線式感知器２０及び第２有線式感知器３０の構成について説明する。第１有線式感知器２０及び第２有線式感知器３０は、検知部及び有線送信部を備えて構成されている（図示省略）。検知部は、火災を検知するための検知手段であり、例えばダイアフラム、バイメタル等を備えて構成される。有線送信部は、火災信号又は火災復旧信号を送信する有線送信手段であり、有線信号の送信回路（図示せず）を備えている。この有線送信部の火災信号の送信方法としては、例えば、検知部がダイアフラムである場合、周囲温度が急激に上昇すると、当該機器の内部の空気が膨張するので、ダイアフラムが押し上げられる。そして、このダイアフラムが所定位置まで押し上げられると、送信回路の電気接点が閉じて、当該送信回路に図示しない電源線から供給されている電流が流れることにより、有線送信部が火災信号を送信する。また、この有線送信部の火災復旧信号の送信方法としては、例えば、有線送信部が火災信号を送信した後、周囲温度が低下すると、当該機器の内部の空気が収縮するので、ダイアフラムが押し下げられる。そして、このダイアフラムが所定位置よりも押し下げられると、送信回路の電気接点が開いて、当該送信回路に図示しない電源線から供給されている電流が流れなくなるので、そのタイミングで有線送信部が火災復旧信号を送信する。
【００２１】
（構成−火災報知システム−発信機）
次に、発信機４０の構成について説明する。図３は発信機４０の電気的構成を示したブロック図である。図３に示すように、発信機４０は、押しボタン部４１、テストスイッチ部４２、無線送信部４３、表示部４４、電源部４５、制御部４６、及び記憶部４７を備えて構成されている。なお、電源部４５の構成については上述の無線式感知器１０における電源部と同様であるので、特記する部分を除き説明を省略する。
【００２２】
押しボタン部４１は、ユーザによる火災信号の送信の有無を受け付ける操作手段である。また、テストスイッチ部４２は、ユーザによる当該発信機４０の機能試験を行うための試験信号の送信の有無を受け付ける試験操作手段である。
【００２３】
無線送信部４３は、火災信号、火災復旧信号、又は試験信号を送信する無線送信手段であり、例えばユーザによって押しボタン部４１が押し下げられた場合に火災信号を送信し、ユーザによって押しボタン部４１が押し下げられる前の状態に復旧された場合に火災復旧信号を送信する。
【００２４】
表示部４４は、発信機４０に関する情報を表示するための表示手段であり、例えば公知のＬＥＤランプ、蛍光ランプ等を備えて構成される。
【００２５】
制御部４６は、発信機４０の各部を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成される（後述する有線式中継装置５０の制御部５６、無線式中継装置６０の制御部６５、及び受信装置７０の制御部７６についても同様）。
【００２６】
記憶部４７は、当該発信機４０を一意に識別する無線端末識別情報等を記憶する記憶手段である。この記憶部４７は、書き換え可能な記録媒体を用いて構成され、例えばフラッシュメモリ等の不揮発性記録媒体を用いることができる（後述する有線式中継装置５０の記憶部５７、無線式中継装置６０の記憶部６６、及び受信装置７０の記憶部７７についても同様）。
【００２７】
（構成−火災報知システム−有線式中継装置）
次に、有線式中継装置５０の構成について説明する。図４は有線式中継装置５０の電気的構成を示したブロック図である。図４に示すように、有線式中継装置５０は、操作部５１、表示部５２、有線受信部５３、無線通信部５４、電源部５５、制御部５６、及び記憶部５７を備えている。なお、電源部５５の構成については上述の無線式感知器１０における電源部と同様であるので、特記する部分を除き説明を省略する。
【００２８】
操作部５１は、有線式中継装置５０に対する操作入力を受け付ける操作手段であり、例えばスイッチやタッチパネル等の公知の操作手段を用いて構成される（後述する無線式中継装置６０の操作部６１、及び受信装置７０の操作部７１についても同様）。
【００２９】
表示部５２は、有線式中継装置５０に関する情報を表示するための表示手段であり、例えば公知の７セグメントディスプレイや液晶ディスプレイ、ＬＥＤ等を備えて構成される（後述する無線式中継装置６０の表示部６２、及び受信装置７０の表示部７２についても同様）。
【００３０】
有線受信部５３は、火災信号又は火災復旧信号の受信を行う受信手段である。この有線受信部５３は、第１有線式感知器２０から火災信号又は火災復旧信号を受信する第１有線受信部５３ａ、及び第２有線式感知器３０から火災信号又は火災復旧信号を受信する第２有線受信部５３ｂを備えて構成されている。これら第１有線受信部５３ａ及び第２有線受信部５３ｂは、火災信号又は火災復旧信号の受信回路（図示せず）を備えている。そして、第１有線受信部５３ａは、受信回路を介して第１有線式感知器２０から送信された火災信号又は火災復旧信号の受信を行い、第２有線受信部５３ｂは、受信回路を介して第２有線式感知器３０から送信された火災信号又は火災復旧信号の受信を行う。
【００３１】
無線通信部５４は、火災信号又は火災復旧信号の受信及び送信を行う無線通信手段である。この無線通信部５４は、例えば無線信号の受信回路及び送信回路（いずれも図示せず）を備え、受信回路を介して発信機４０から送信された火災信号又は火災復旧信号の受信を行い、送信回路を介して無線式中継装置６０及び／又は受信装置７０に向けて、第１有線式感知器２０、第２有線式感知器３０、又は発信機４０から受信した火災信号又は火災復旧信号の送信を行う。この無線通信部５４の火災信号又は火災復旧信号の受信方法は任意であり、例えば、電源部５５の電力消費を抑えるために、無線通信部５４は火災信号又は火災復旧信号を間欠受信してもよい。なお、無線通信部５４が第１有線式感知器２０等から受信した火災信号又は火災復旧信号を送信することは、特許請求の範囲における無線送信手段に対応するものである。
【００３２】
制御部５６は、有線式中継装置５０の各部を制御する制御手段である。この制御部５６は、機能概念的に火災信号生成部５６ａを備えている。火災信号生成部５６ａは、有線受信部５３が第１有線式感知器２０又は第２有線式感知器３０から火災信号又は火災復旧信号を受信した場合に、後述する有線端末識別情報テーブル５７ａから有線端末識別情報を取得し、当該取得した有線端末識別情報を当該受信した火災信号に付加する火災信号生成手段である。なお、この制御部５６によって実行される処理の詳細については後述する。
【００３３】
記憶部５７は、制御部５６が無線通信部５４によって、火災信号又は火災復旧信号を無線式中継装置６０及び／又は受信装置７０に向けて送信させる際に参照するための有線端末識別情報テーブル５７ａを備えている。図５は有線端末識別情報テーブル５７ａに格納される情報の内容を例示した表である。図５に示すように、有線端末識別情報テーブル５７ａには、テーブル項目「受信部」、「種別」、及び「端末ＩＤ」に対応する情報が相互に関連付けて格納される。項目「受信部」に対応して格納される情報は、火災信号又は火災復旧信号を受信した受信部を特定する受信部特定情報であり、例えば「第１有線受信部」、「第２有線受信部」が格納される。項目「種別」に対応して格納される情報は、機器の種別を特定する種別情報であり、例えば「第１有線式感知器」、「第２有線式感知器」が格納される。項目「端末ＩＤ」に対応して格納される情報は、第１有線式感知器２０及び第２有線式感知器３０を一意に識別するための有線端末識別情報であり、例えば第１有線式感知器２０及び第２有線式感知器３０のアドレス番号（図５では「０１０１」、「０１０２」）が格納される。なお、有線端末識別情報テーブル５７ａは、特許請求の範囲における第１識別情報格納手段に対応するものであり、また有線端末識別情報は、特許請求の範囲における第１識別情報に対応するものである。
【００３４】
（構成−火災報知システム−無線式中継装置）
次に、無線式中継装置６０の構成について説明する。図６は無線式中継装置６０の電気的構成を示したブロック図である。図６に示すように、無線式中継装置６０は、操作部６１、表示部６２、無線通信部６３、電源部６４、制御部６５、及び記憶部６６を備えている。なお、操作部６１及び表示部６２の構成については上述の有線式中継装置５０における操作部５１及び表示部５２と同様であり、電源部６４の構成については上述の無線式感知器１０における電源部と同様であり、制御部６５の構成については上述の発信機４０における制御部４６と同様であるので、特記する部分を除き説明を省略する。
【００３５】
無線通信部６３は、火災信号又は火災復旧信号の受信及び送信を行う無線通信手段である。この無線通信部６３は、例えば無線信号の受信回路及び送信回路（いずれも図示せず）を備え、受信回路を介して無線式感知器１０、発信機４０、又は有線式中継装置５０から送信された火災信号又は火災復旧信号の受信を行い、送信回路を介して受信装置７０への火災信号又は火災復旧信号の送信を行う。
【００３６】
記憶部６６は、制御部６５による制御に必要なプログラム及び各種のデータを記憶する記憶手段である。
【００３７】
（構成−火災報知システム−受信装置）
次に、受信装置７０の構成について説明する。図７は、受信装置７０の電気的構成を概念的に示すブロック図である。図７に示すように、受信装置７０は、操作部７１、表示部７２、無線受信部７３、信号出力部７４、電源回路部７５、制御部７６、及び記憶部７７を備えている。なお、操作部７１及び表示部７２の構成については上述の有線式中継装置５０における操作部５１及び表示部５２と同様であるので、特記する部分を除き説明を省略する。
【００３８】
無線受信部７３は、火災信号又は火災復旧信号の受信を行う無線受信手段である。この無線受信部７３は、火災信号又は火災復旧信号の受信回路（図示せず）を備え、受信回路を介して無線式感知器１０、発信機４０、有線式中継装置５０、及び／又は無線式中継装置６０から送信された火災信号又は火災復旧信号の受信を行う。
【００３９】
信号出力部７４は、無線式感知器１０、発信機４０、有線式中継装置５０、及び／又は無線式中継装置６０から受信した火災信号を受信機８０に出力する信号出力手段である。この信号出力部７４は、Ａ−Ｃ出力部７４ａ及びＬ−Ｃ出力部７４ｂを備えて構成されている。Ａ−Ｃ出力部７４ａは、Ａ−Ｃ線２ｄを介して、発信機４０、有線式中継装置５０、及び／又は無線式中継装置６０から受信した火災信号を受信機８０に出力するＡ−Ｃ出力手段である。Ｌ−Ｃ出力部７４ｂは、Ｌ−Ｃ線２ｅを介して、無線式感知器１０及び／又は無線式中継装置６０から受信した火災信号を受信機８０に出力したり、有線式中継装置５０及び／又は無線式中継装置６０から受信した火災信号を受信機８０に出力したり、発信機４０、有線式中継装置５０、及び／又は無線式中継装置６０から受信した火災信号を受信機８０に出力するＬ−Ｃ出力手段である。
【００４０】
図８は、信号出力部７４の各端子の接続状況を示す概略図である。図８に示すように、信号出力部７４は、Ａ線出力端子２ａ１、Ａ線入力端子２ａ２、Ｃ線出力端子２ｂ１、Ｃ線入力端子２ｂ２、Ｌ線出力端子２ｃ１、及びＬ線入力端子２ｃ２を備えて構成されている。これらＡ線出力端子２ａ１、Ｃ線出力端子２ｂ１、及びＬ線出力端子２ｃ１は、火災信号を受信機８０に出力するためのものであり、受信機８０側とは逆側（受信装置７０を挟んで受信機８０側と反対に位置する側）のＡ線２ａ、Ｃ線２ｂ、及びＬ線２ｃと各々接続されている。また、これらＡ線入力端子２ａ２、Ｃ線入力端子２ｂ２、及びＬ線入力端子２ｃ２は、火災信号を受信機８０に入力するためのものであり、受信機８０側のＡ線２ａ、Ｃ線２ｂ、及びＬ線２ｃと各々接続されている。
【００４１】
Ｌ線出力端子２ｃ１とＬ線入力端子２ｃ２とを接続するＬ線２ｃには、当該Ｌ線２ｃの接続切替のためのリレー２ｆが設けられている。また、Ｌ線出力端子２ｃ１とＬ線入力端子２ｃ２とを接続するＬ線２ｃとＣ線出力端子２ｂ１とＣ線入力端子２ｂ２とを接続するＣ線２ｂとの間には、これらＬ線２ｃ及びＣ線２ｂの接続切替のためのリレー２ｇが設けられている。このリレー２ｇは、リレー２ｆよりも受信機８０側に配置されている。また、Ａ線出力端子２ａ１とＡ線入力端子２ａ２とを接続するＡ線２ａとＬ線出力端子２ｃ１とＬ線入力端子２ｃ２とを接続するＬ線２ｃとの間には、これらＡ線２ａ及びＣ線２ｂの接続切替のためのリレー２ｈが設けられている。
【００４２】
ここで、この信号出力部７４が火災信号を受信機８０に対して出力する方法としては、例えば、信号出力部７４が、受信装置７０と接続された信号線２を導通可能にさせたり、あるいは短絡させることにより、無線式感知器１０、第１有線式感知器２０、第２有線式感知器３０、又は発信機４０の火災信号を受信機８０に送信する。具体的には、信号出力部７４が通常動作を行う場合には、Ｌ−Ｃ出力部７４ｂは、Ｌ−Ｃ線２ｅが導通可能になるように、Ｌ線２ｃをリレー２ｆにより接続させる。また、信号出力部７４が無線式感知器１０、第１有線式感知器２０、又は第２有線式感知器３０の火災信号を受信機８０に対して出力する場合には、Ｌ−Ｃ出力部７４ｂは、Ｌ−Ｃ線２ｅが短絡するように、当該Ｌ−Ｃ線２ｅをリレー２ｇにより接続させる。また、信号出力部７４が発信機４０の火災信号を受信機８０に対して出力する場合には、Ａ−Ｃ出力部７４ａは、Ａ−Ｃ線２ｄが短絡するように、当該Ａ−Ｃ線２ｄをリレー２ｈにより接続させると共に、Ｌ−Ｃ出力部７４ｂは、Ｌ−Ｃ線２ｅが短絡するように、当該Ｌ−Ｃ線２ｅを公知のリレー２ｇにより接続させる。
【００４３】
電源回路部７５は、電源線４を介して受信機８０から供給された電力を受信装置７０の各部に供給する（なお、電源回路部７５から受信装置７０の各部に対する電力供給線の図示は省略する）。
【００４４】
制御部７６は、受信装置７０の各部を制御する制御手段である。この制御部７６は、機能概念的に識別情報取得部７６ａを備えている。識別情報取得部７６ａは、受信装置７０が火災信号又は火災復旧信号を受信した場合に、当該火災信号又は火災復旧信号から識別情報を取得する識別情報取得手段である。なお、この制御部７６によって実行される処理の詳細については後述する。
【００４５】
記憶部７７は、制御部７６が信号出力部７４によって、火災信号を受信機８０に送信する際に参照するための移報方法テーブル７７ａを備えている。図９は移報方法テーブル７７ａに格納される情報の内容を例示した表である。図９に示すように、移報方法テーブル７７ａには、テーブル項目「無線端末ＩＤ」、「種別」、及び「移報方法」に対応する情報が相互に関連付けて格納される。項目「無線端末ＩＤ」に対応して格納される情報は、無線式感知器１０、第１有線式感知器２０、第２有線式感知器３０、又は発信機４０を一意に識別する識別情報であり、例えば無線式感知器１０等のアドレス番号（図９では「０１０１」、「０１０２」、「０１０３」、「０１０４」等）が格納される。項目「種別」に対応して格納される情報は、機器の種別を特定する種別情報であり、例えば「第１有線式感知器」、「第２有線式感知器」、「発信機」、「無線式感知器」等が格納される。項目「移報方法」に対応して格納される情報は、無線式感知器１０、第１有線式感知器２０、第２有線式感知器３０、又は発信機４０の火災信号の移報方法を特定するための移報方法情報であり、例えば「Ｌ−Ｃ線短絡」、「Ｌ−Ｃ線、及びＡ−Ｃ線短絡」等が格納される。
【００４６】
（構成−火災報知システム−受信機）
次に、受信機８０の構成について説明する。この受信機８０としては、例えば公知の防災受信機を用いることができる。
【００４７】
（火災報知システムを構成する各機器が実行する中継処理について）
次に、火災報知システム１を構成する各機器が実行する中継処理について説明する。図１に示すように、建物の２階に無線式感知器１０、第１有線式感知器２０、第２有線式感知器３０、発信機４０、有線式中継装置５０、無線式中継装置６０、及び受信装置７０が設置されている場合を例に挙げて説明する。図１０は、第１有線式感知器２０、発信機４０、有線式中継装置５０、及び受信装置７０によって実行される中継処理の流れを示したフローチャートである（なお、無線式中継装置６０の動作の図示は省略する）。また、図１１は、図１０に続く第１有線式感知器２０、発信機４０、有線式中継装置５０、及び受信装置７０が実行する中継処理の流れを示したフローチャートである。なお、以下の説明では、「ステップ」を「Ｓ」と略記する。また、第１有線式感知器２０のステップを「ＳＡ」、発信機４０のステップを「ＳＢ」、有線式中継装置５０のステップを「ＳＣ」、及び受信装置７０のステップを「ＳＤ」と略記する。また、有線式中継装置５０の動作中に発生したイベントは、有線式中継装置５０の制御部５６によって記憶部５７に記録されるものとする。
【００４８】
図１０及び図１１に示すように、第１有線式感知器２０の検知部にて火災が検知されたことによって、当該第１有線式感知器２０の有線送信部が火災信号を送信した場合（ＳＡ１）、有線式中継装置５０の第１有線受信部５３ａは、信号線３を介して第１有線式感知器２０から火災信号を受信する（ＳＣ１）。次いで、有線式中継装置５０の火災信号生成部５６ａは、有線端末識別情報テーブル５７ａから取得した有線端末識別情報を第１有線受信部５３ａにて受信した火災信号に付加し（ＳＣ２）、有線式中継装置５０の無線通信部５４は、当該火災信号生成部５６ａにて有線端末識別情報が付加された火災信号を無線で送信する（ＳＣ３）。なお、第１有線式感知器２０の有線送信部は、検知部にて火災が検知されなくなるまで火災信号を継続して送信する（以下、後述するＳＢ１の火災信号についても同様とする）。
【００４９】
続いて、受信装置７０の無線受信部７３は、有線式中継装置５０及び／又は無線式中継装置６０から火災信号を受信し（ＳＤ１）、信号出力部７４は、当該無線受信部７３にて受信した第１有線式感知器２０の火災信号の移報を受信機８０に対して行う（ＳＤ２）。
【００５０】
次に、発信機４０の押しボタン部４１が押し下げられたことによって、当該発信機４０の無線送信部４３が火災信号を送信した場合（ＳＢ１）、有線式中継装置５０の無線通信部５４は、発信機４０から火災信号を受信する（ＳＣ４）。次いで、有線式中継装置５０の無線通信部５４は、当該無線通信部５４にて受信した火災信号を無線で送信する（ＳＣ５）。なお、発信機４０の無線送信部４３は、火災信号を有線式中継装置５０を介して受信装置７０に送信することに限られず、例えば、発信機４０の無線送信部４３は、火災信号を受信装置７０に直接送信してもよい。
【００５１】
続いて、受信装置７０の無線受信部７３は、発信機４０、有線式中継装置５０、及び／又は無線式中継装置６０から火災信号を受信する（ＳＤ３）。ここで、受信装置７０の信号出力部７４は、ＳＤ２の第１有線式感知器２０の火災信号の移報を行っている状態であるが、発信機４０が火災信号を出力していることを受信機８０に知らせるために、この第１有線式感知器２０の火災信号の移報に替えて、無線受信部７３にて受信した発信機４０の火災信号の移報を受信機８０に対して行う（ＳＤ４）。
【００５２】
次に、発信機４０の押しボタン部４１が押し下げられた状態から押し下げられる前の状態に復旧したことによって、発信機４０の無線送信部４３が火災復旧信号を送信した場合（ＳＢ２）、有線式中継装置５０の無線通信部５４は、発信機４０から火災復旧信号を受信する（ＳＣ６）。次いで、有線式中継装置５０の無線通信部５４は、当該無線通信部５４にて受信した火災復旧信号を無線で送信する（ＳＣ７）。
【００５３】
続いて、受信装置７０の無線受信部７３は、発信機４０、有線式中継装置５０、及び／又は無線式中継装置６０から火災復旧信号を受信する（ＳＤ５）。これにより、受信装置７０の信号出力部７４が、ＳＤ４の発信機４０の火災信号の移報を行っている状態から当該発信機４０の火災信号の移報を行う前の状態に復旧させる、すなわち発信機４０の火災信号の移報を停止する（ＳＤ６）。ここで、ＳＤ１の処理以降、受信装置７０の無線受信部７３は、有線式中継装置５０及び／又は無線式中継装置６０から第１有線式感知器２０の火災信号を継続して受信している。そのため、ＳＤ６の処理後、受信装置７０の信号出力部７４は、無線受信部７３にて受信した第１有線式感知器２０の火災信号の移報を受信機８０に対して行う（ＳＤ７）。
【００５４】
次いで、第１有線式感知器２０の検知部にて火災が検知されなくなったことによって、有線式感知器１０の有線送信部が火災復旧信号を送信した場合（ＳＡ２）、有線式中継装置５０の第１有線受信部５３ａは、信号線３を介して第１有線式感知器２０から火災復旧信号を受信する（ＳＣ８）。次いで、有線式中継装置５０の火災信号生成部５６ａは、有線端末識別情報テーブル５７ａから取得した有線端末識別情報を第１有線受信部５３ａにて受信した火災復旧信号に付加する（ＳＣ９）。そして、有線式中継装置５０の無線通信部５４は、当該火災信号生成部５６ａにて有線端末識別情報が付加された火災復旧信号を無線で送信する（ＳＣ１０）。
【００５５】
続いて、受信装置７０の無線受信部７３は、有線式中継装置５０及び／又は無線式中継装置６０から火災復旧信号を受信し（ＳＤ８）、受信装置７０の信号出力部７４は、ＳＤ７の第１有線式感知器２０の火災信号の移報を停止する（ＳＤ９）。
【００５６】
（中継処理）
次に、有線式中継装置５０及び受信装置７０によって実行される中継処理を、図１０及び図１１に示すＳＣ１〜ＳＣ１０、ＳＤ１〜ＳＤ９の中継処理の流れと関連づけて説明する。図１２は有線式中継装置５０、及び受信装置７０によって実行される中継処理のフローチャートである。この中継処理の実行タイミングは任意で、例えば有線式中継装置５０の操作部５１及び受信装置７０の操作部７１を介して中継処理を実行する旨の操作入力がされた場合に実行される。また、受信装置７０と受信機８０とを接続する信号線２は導通可能な状態であるものとする。なお、以下の説明では、有線式中継装置５０のステップを「ＳＥ」、及び受信装置７０のステップを「ＳＦ」と略記する。
【００５７】
図１２に示すように、最初に、有線式中継装置５０の制御部５６は有線受信部５３又は無線通信部５４が火災信号又は火災復旧信号を受信したか否かを判定する（ＳＥ１）。例えば、有線式中継装置５０の制御部５６は、有線受信部５３が火災信号又は火災復旧信号を受信した場合に「１」と判定し、無線受信部５４が火災信号又は火災復旧信号を受信した場合に「２」と判定し、有線受信部５３又は無線通信部５４が所定時間（例えば５ｓｅｃ）経過しても火災信号又は火災復旧信号を受信しない場合に「３」と判定する。その結果、有線式中継装置５０の有線受信部５３又は無線通信部５４が火災信号又は火災復旧信号を受信しないと判定された場合（ＳＥ１、３）、有線式中継装置５０の制御部５６は、ＳＥ１に移行する。
【００５８】
一方、有線式中継装置５０の第１有線受信部５３ａが第１有線式感知器２０から火災信号を受信したと判定された場合（ＳＣ１）（ＳＥ１、１）、有線式中継装置５０の制御部５６は、火災信号生成部５６ａによって第１有線受信部５３ａに対応する有線端末識別情報を有線端末識別情報テーブル５７ａから取得させ、当該取得した有線端末識別情報を第１有線受信部５３ａにて受信した火災信号に付加させ（ＳＣ２）（ＳＥ２）、当該有線端末識別情報が付加された火災信号を無線通信部５４によって無線で送信させる（ＳＣ３）（ＳＥ３）。このように、有線式中継装置５０は、第１有線式感知器２０と有線接続された有線式中継装置５０から火災信号を無線で送信することができるので、第１有線式感知器２０又は第２有線式感知器３０を容易に無線化することができる。また、有線式中継装置５０の無線通信部５４は、第１有線式感知器２０又は第２有線式感知器３０から火災信号を受信した場合に、当該無線通信部５４が火災信号生成部５６ａにて有線端末識別情報が付加された火災信号を無線にて送信するので、例えば受信装置７０は第１有線式感知器２０又は第２有線式感知器３０の火災信号を容易に識別することができる。
【００５９】
次いで、受信装置７０の制御部７６は無線受信部７３が火災信号を受信したか否かを監視する（ＳＦ１）。ここで、無線受信部７３が火災信号を受信した場合（ＳＤ１）（ＳＦ１、Ｙｅｓ）、受信装置７０の識別情報取得部７６ａは当該無線受信部７３にて受信した火災信号から有線端末識別情報を取得する（ＳＦ２）。そして、受信装置７０の制御部７６は移報方法テーブル７７ａを参照し、当該識別情報取得部７６ａにて取得された有線端末識別情報に応じて、信号出力部７４によって信号線２を短絡させる（ＳＤ２）（ＳＦ３）。具体的には、受信装置７０の制御部７６はＬ−Ｃ出力部７４ｂによってＬ−Ｃ線２ｅを短絡させる。なお、受信装置７０の制御部７６は、表示部７２によってＬ−Ｃ線２ｅが短絡状態である旨を表示させてもよい。これにより、ユーザに対して信号線２が短絡状態であることを報知することができる。
【００６０】
続いて、受信装置７０の制御部７６は無線受信部７３が火災復旧信号を受信したか否かを監視する（ＳＦ４）。ここで、無線受信部７３が火災復旧信号を受信しなかった場合（ＳＦ４、Ｎｏ）、受信装置７０の制御部７６は、ＳＦ１の直前に戻る。
【００６１】
次に、有線式中継装置５０の無線通信部５４が火災信号を受信したと判定された場合（ＳＣ４）（ＳＥ１、２）、有線式中継装置５０の制御部５６はＳＥ３に移行し、当該受信した火災信号を無線通信部５４によって無線で送信させる（ＳＣ５）（ＳＥ３）。このように、有線式中継装置５０の無線通信部５４は、第１有線式感知器２０又は第２有線式感知器３０から火災信号を有線にて受信した場合に有線端末識別情報を付加した火災信号を無線で送信し、無線端末識別情報を含む火災信号を発信機４０から無線にて受信した場合に当該受信した火災信号をそのまま無線で送信するので、例えば受信装置７０は第１有線式感知器２０、第２有線式感知器３０、又は発信機４０の火災信号を容易に識別できる。
【００６２】
次いで、受信装置７０の無線受信部７３が火災信号を受信した場合（ＳＤ３）（ＳＦ１、Ｙｅｓ）、受信装置７０の識別情報取得部７６ａが当該受信した火災信号から無線端末識別情報を取得する（ＳＦ２）。そして、受信装置７０の制御部７６は移報方法テーブル７７ａを参照し、識別情報取得部７６ａにて取得された無線端末識別情報に応じて、信号出力部７４によって信号線２を短絡させる（ＳＤ４）（ＳＦ３）。具体的には、受信装置７０の制御部７６はＬ−Ｃ出力部７４ｂによってＬ−Ｃ線２ｅを短絡させた状態を維持させながら、Ａ−Ｃ出力部７４ａによってＡ−Ｃ線２ｄを短絡させる。
【００６３】
続いて、受信装置７０の無線受信部７３が火災復旧信号を受信しなかった場合（ＳＦ４、Ｎｏ）、受信装置７０の制御部７６は、ＳＦ１の直前に戻る。
【００６４】
次に、有線式中継装置５０の無線通信部５４が火災復旧信号を受信したと判定された場合（ＳＣ６）（ＳＥ１、２）、有線式中継装置５０の制御部５６はＳＥ３に移行し、当該受信した火災復旧信号を無線通信部５４によって無線で送信させる（ＳＣ７）（ＳＥ３）。
【００６５】
次いで、ＳＦ１〜ＳＦ３の処理後に、又は受信装置７０の無線受信部７３が火災信号を受信しなかった後に（ＳＦ１、Ｎｏ）、受信装置７０の無線受信部７３が火災復旧信号を受信した場合（ＳＤ５）（ＳＦ４、Ｙｅｓ）、受信装置７０の識別情報取得部７６ａが当該受信した火災復旧信号から無線端末識別情報を取得する（ＳＦ５）。そして、受信装置７０の制御部７６は識別情報取得部７６ａにて取得された無線端末識別情報に応じて、信号出力部７４によって信号線２を短絡させた状態から短絡させる前の状態に復旧させる（ＳＤ６）（ＳＦ６）。ここで、ＳＤ２の処理以降、受信装置７０の無線受信部７３が発信機４０から火災信号を継続して受信していることから、受信装置７０の制御部７６は信号出力部７４によって信号線２を短絡させる（ＳＤ７）（ＳＦ６）。具体的には、受信装置７０の制御部７６はＬ−Ｃ出力部７４ｂによってＬ−Ｃ線２ｅの短絡状態を維持させながら、Ａ−Ｃ出力部７４ａによってＡ−Ｃ線２ｄを短絡状態から導通可能な状態へ復旧させる。
【００６６】
続いて、受信装置７０の制御部７６は信号出力部７４が信号線２を導通可能な状態にしているか否かを判定する（ＳＦ７）。その結果、ＳＤ６の処理にて信号線２が短絡状態であることから、信号出力部７４が信号線２を導通可能な状態でないと判定された場合（ＳＦ７、Ｎｏ）、受信装置７０の制御部７６はＳＦ１の直前に戻る。
【００６７】
次に、有線式中継装置５０の第１有線受信部５３ａが第１有線式感知器２０から火災復旧信号を受信したと判定された場合（ＳＣ８）（ＳＥ１、１）、受信装置７０の制御部７６は火災信号生成部５６ａによって第１有線受信部５３ａに対応する有線端末識別情報を有線端末識別情報テーブル５７ａから取得させ、当該取得した有線端末識別情報を第１有線受信部５３ａにて受信した火災復旧信号に付加させる（ＳＣ９）（ＳＥ２）。そして、有線式中継装置５０の制御部５６は、無線通信部５４によって有線端末識別情報が付加された火災復旧信号を無線で送信させる（ＳＣ１０）（ＳＥ３）。
【００６８】
次いで、ＳＦ１〜ＳＦ３の処理後に、又は受信装置７０の無線受信部７３が火災信号を受信しなかった後に（ＳＦ１、Ｎｏ）、受信装置７０の無線受信部７３が火災復旧信号を受信した場合（ＳＤ８）（ＳＦ４、Ｙｅｓ）、受信装置７０の識別情報取得部７６ａが当該受信した火災復旧信号から有線端末識別情報を取得する（ＳＦ５）。そして、受信装置７０の制御部７６は、識別情報取得部７６ａにて取得された有線端末識別情報に応じて、信号出力部７４によって信号線２を短絡させた状態から短絡させる前の状態に復旧させる（ＳＤ９）（ＳＦ６）。具体的には、受信装置７０の制御部７６はＬ−Ｃ出力部７４ｂによってＬ−Ｃ線２ｅを短絡状態から導通可能な状態へ復旧させる。
【００６９】
続いて、受信装置７０の制御部７６は、信号出力部７４が信号線２を導通可能な状態にしているか否かを判定する（ＳＦ７）。その結果、ＳＤ９の処理にて信号線２が導通可能な状態であることから、信号出力部７４が導通可能な状態であると判定された場合（ＳＦ７、Ｙｅｓ）、受信装置７０の制御部７６は、処理を終了する。
【００７０】
（効果）
このように実施の形態によれば、有線式中継装置５０は、自己に有線接続されている第１有線式感知器２０又は第２有線式感知器３０から火災信号を有線にて受信した場合に、当該受信した火災信号を無線で送信するので、有線式中継装置５０及び第１有線式感知器２０、又は有線式中継装置５０及び第２有線式感知器３０を有線接続することにより、有線式中継装置５０から火災信号を無線で送信することができ、第１有線式感知器２０又は第２有線式感知器３０を容易に無線化することができる。
【００７１】
また、有線式中継装置５０が第１有線式感知器２０、第２有線式感知器３０、又は発信機４０から火災信号を受信して、当該受信した火災信号を送信する場合において、第１有線式感知器２０又は第２有線式感知器３０から火災信号を有線にて受信した場合に、当該受信した火災信号に対して、当該第１有線式感知器２０又は第２有線式感知器３０を一意に識別するための有線端末識別情報を付加し、当該有線端末識別情報を付加した火災信号を無線で送信し、発信機４０を一意に識別するための無線端末識別情報を含む火災信号を発信機４０から無線にて受信した場合に、当該受信した火災信号を無線で送信するので、第１有線式感知器２０、第２有線式感知器３０、又は発信機４０の火災信号を容易に識別でき、火災の位置を容易に特定することができる。
【００７２】
また、火災報知システム１に第１有線式感知器２０及び第２有線式感知器３０が設けられている場合において、第１有線式感知器２０又は第２有線式感知器３０から火災信号を有線にて受信した際、火災信号生成部５６ａが当該受信を行った有線受信部５３に関連付けられた有線端末識別情報を有線端末識別情報テーブル５７ａから取得し、当該取得した有線端末識別情報を当該受信した火災信号に付加し、無線通信部５４が火災信号生成部５６ａにて有線端末識別情報が付加された火災信号を無線にて送信するので、第１有線式感知器２０又は第２有線式感知器３０の火災信号を容易に識別でき、火災の位置を一層容易に特定することができる。また、この有線式中継装置５０は、１つの有線式中継装置５０で複数の有線式の火災報知端末に対応できるので、既設の有線式感知器から無線式感知器１０への取り替えに比べて、安価かつ容易に火災報知端末の無線化を実現することができる。
【００７３】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００７４】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００７５】
（分散や統合について）
上述した火災報知システム１の各電気的構成要素は機能概念的なものであり、必ずしも物理的に図示の如く構成されていることを要しない。すなわち、各部の分散又は統合の具体的形態は図示のものに限られず、その全部又は一部を、各種の負荷や使用状況などに応じて、任意の単位で機能的又は物理的に分散又は統合して構成できる。
【００７６】
（無線式感知器について）
上述した実施の形態では、無線式感知器１０の無線送信部は、火災信号又は火災復旧信号を送信すると説明したが、これに限られない。例えば、この無線送信部は、無線式感知器１０の動作状況を監視するために、当該無線式感知器１０の無線端末識別情報を定期的に送信してもよい。この場合には、受信装置７０の無線受信部４３が無線端末識別情報を定期的に受信しなくなったと判定された場合に、受信装置７０の制御部７６は信号出力部７４によって信号線２を断線させてもよい。具体的には、受信装置７０の制御部７６はＬ−Ｃ出力部７４ｂによってＬ−Ｃ線２ｅを断線させる（なお、発信機４０の無線送信部４３についても同様）。なお、「断線」とは、Ａ線２ａ、Ｃ線２ｂ、又はＬ線２ｃのいずれかを、受信装置７０の信号出力部７４の内部において、受信機８０に近い側と遠い側に切り離すことを意味する。
【００７７】
（有線式中継装置について）
上述した実施の形態では、有線式中継装置５０は、第１有線式感知器２０又は第２有線式感知器３０から火災信号又は火災復旧信号を信号線３を介して受信し、当該受信した火災信号又は火災復旧信号を無線式中継装置６０及び／又は受信装置７０に中継したり、電源線４を介して第１有線式感知器２０又は第２有線式感知器３０への電力供給を行うものであると説明したが、これに限られない。例えば、有線式中継装置５０は、発信機４０から火災信号又は火災復旧信号を信号線３を介して受信し、当該受信した火災信号又は火災復旧信号を無線式中継装置６０及び／又は受信装置７０に中継したり、電源線４を介して発信機４０への電力供給を行ってもよい。
【００７８】
（火災報知システムを構成する各機器が実行する中継処理について）
上述した実施の形態では、第１有線式感知器２０の検知部が火災を検知したことによって、当該第１有線式感知器２０の有線送信部が火災信号を送信した後、発信機４０の押しボタン部４１が押し下げられたことによって、当該発信機４０の無線送信部４３が火災信号を送信した場合の中継処理について説明したが、これに限られない。例えば、発信機４０の押しボタン部４１が押し下げられたことによって、当該発信機４０の無線送信部４３が火災信号を送信した後、第１有線式感知器２０の検知部が火災を検知したことによって、当該第１有線式感知器２０の有線送信部が火災信号を送信した場合についての中継処理であっても、実施の形態と同様に扱われる。あるいは、第１有線式感知器２０の検知部が火災を検知したことによって、当該第１有線式感知器２０の有線送信部が火災信号を送信した後、第２有線式感知器３０の検知部が火災を検知したことによって、当該第２有線式感知器３０の有線送信部が火災信号を送信した場合の中継処理であっても実施の形態と同様に扱われる。
（付記）
付記１の中継装置は、火災を検知した際に火災信号を出力する火災報知端末から受信した信号を、受信装置に中継する中継装置であって、前記火災報知端末は、前記火災信号を有線にて当該中継装置に出力する有線式の火災報知端末を含み、当該中継装置は、自己に有線接続されている前記有線式の火災報知端末から前記火災信号を有線にて受信した場合に、当該受信した火災信号を無線で送信する。
また、付記２の中継装置は、付記１に記載の中継装置において、前記火災報知端末は、前記有線式の火災報知端末と、前記火災信号を無線にて当該中継装置に出力する無線式の火災報知端末とを含み、当該中継装置は、前記有線式の火災報知端末から前記火災信号を有線にて受信した場合に、当該受信した火災信号に対して、当該有線式の火災報知端末を一意に識別するための第１識別情報を付加し、当該第１識別情報を付加した火災信号を無線で送信し、前記無線式の火災報知端末を一意に識別するための第２識別情報を含む前記火災信号を前記無線式の火災報知端末から無線にて受信した場合に、当該受信した火災信号を無線で送信する。
また、付記３の中継装置は、付記２に記載の中継装置において、前記有線式の火災報知端末は、複数設けられており、前記有線式の火災報知端末から前記火災信号を有線にて受信するものであって、前記複数の有線式の火災報知端末に応じた数だけ設けられた複数の受信手段と、前記複数の有線式の火災報知端末の各々の前記第１識別情報を、前記受信手段に関連付けて格納する第１識別情報格納手段と、前記有線式の火災報知端末から前記火災信号を有線にて受信した際、当該受信を行った受信手段に関連付けられた前記第１識別情報を前記第１識別情報格納手段から取得し、当該取得した第１識別情報を当該受信した火災信号に付加する火災信号生成手段と、前記火災信号生成手段にて前記第１識別情報が付加された火災信号を無線にて送信する無線送信手段とを備える。
（付記の効果）
付記１に記載の中継装置によれば、当該中継装置は、自己に有線接続されている有線式の火災報知端末から火災信号を有線にて受信した場合に、当該受信した火災信号を無線で送信するので、当該中継装置及び有線式の火災報知端末を有線接続することにより、当該中継装置から火災信号を無線で送信することができ、有線式の火災報知端末を容易に無線化することができる。
また、付記２に記載の中継装置によれば、当該中継装置が有線式の火災報知端末又は無線式の火災報知端末から火災信号を受信して、当該受信した火災信号を送信する場合において、有線式の火災報知端末から火災信号を有線にて受信した場合に、当該受信した火災信号に対して、有線式の火災報知端末を一意に識別するための第１識別情報を付加し、当該第１識別情報を付加した火災信号を無線で送信し、無線式の火災報知端末を一意に識別するための無線端末識別情報を含む火災信号を無線式の火災報知端末から無線にて受信した場合に、当該受信した火災信号を無線で送信するので、有線式の火災報知端末又は無線式の火災報知端末の火災信号を容易に識別でき、火災の位置を容易に特定することができる。
また、付記３に記載の中継装置によれば、有線式の火災報知端末は、複数設けられている場合において、有線式の火災報知端末から火災信号を有線にて受信した際、火災信号生成手段が当該受信を行った受信手段に関連付けられた第１識別情報を第１識別情報格納手段から取得し、当該取得した第１識別情報を当該受信した火災信号に付加し、無線送信手段が火災信号生成手段にて第１識別情報が付加された火災信号を無線にて送信するので、有線式の火災報知端末の火災信号を容易に識別でき、火災の位置を一層容易に特定することができる。また、当該中継装置は、１つの中継装置で複数の有線式の火災報知端末に対応できるので、既設の有線式の火災報知端末から無線式の火災報知端末への取り替えに比べて、安価かつ容易に火災報知端末の無線化を実現することができる。
（第２の付記）
第２の付記１の中継装置は、火災を検知した際に火災信号を出力する火災報知端末から受信した信号を、受信装置に中継する中継装置であって、前記火災報知端末は、前記火災信号を有線にて当該中継装置に出力する有線式の火災報知端末を含み、自己に有線接続されている前記有線式の火災報知端末から前記火災信号を有線にて受信する受信手段と、前記有線式の火災報知端末を一意に識別するための第１識別情報を、前記受信手段に関連付けて格納する第１識別情報格納手段と、前記有線式の火災報知端末から前記火災信号を有線にて受信した際、当該受信を行った受信手段に関連付けられた前記第１識別情報を前記第１識別情報格納手段から取得し、当該取得した第１識別情報を当該受信した火災信号に付加する火災信号生成手段と、前記火災信号生成手段にて前記第１識別情報が付加された火災信号を無線にて送信する無線送信手段とを備える。
第２の付記２の中継装置は、第２の付記１に記載の中継装置において、前記火災報知端末は、前記有線式の火災報知端末と、前記火災信号を無線にて当該中継装置に出力する無線式の火災報知端末とを含み、当該中継装置は、前記無線式の火災報知端末を一意に識別するための第２識別情報を含む前記火災信号を前記無線式の火災報知端末から無線にて受信した場合に、当該受信した火災信号を無線で送信する。
第２の付記３の中継装置は、第２の付記２に記載の中継装置において、前記有線式の火災報知端末は、複数設けられており、前記受信手段は、前記複数の有線式の火災報知端末に応じた数だけ設けられており、前記第１識別情報格納手段は、前記複数の有線式の火災報知端末の各々の前記第１識別情報を格納する。
（第２の付記の効果）
第２の付記１に記載の中継装置によれば、当該中継装置は、自己に有線接続されている有線式の火災報知端末から火災信号を有線にて受信した場合に、火災信号生成手段が当該受信を行った受信手段に関連付けられた第１識別情報を第１識別情報格納手段から取得し、当該取得した第１識別情報を当該受信した火災信号に付加し、無線送信手段が火災信号生成手段にて第１識別情報が付加された火災信号を無線にて送信するので、有線式の火災報知端末を容易に無線化することができる。また、当該中継装置は、有線式の火災報知端末の火災信号を容易に識別でき、火災の位置を容易に特定することができる。
また、第２の付記２に記載の中継装置によれば、当該中継装置が有線式の火災報知端末又は無線式の火災報知端末から火災信号を受信して、当該受信した火災信号を送信する場合において、無線式の火災報知端末を一意に識別するための無線端末識別情報を含む火災信号を無線式の火災報知端末から無線にて受信した場合に、当該受信した火災信号も無線で送信するので、有線式の火災報知端末又は無線式の火災報知端末の火災信号を容易に識別でき、火災の位置を容易に特定することができる。
また、第２の付記３に記載の中継装置によれば、有線式の火災報知端末は、複数設けられている場合において、有線式の火災報知端末から火災信号を有線にて受信した際、火災信号生成手段が当該受信を行った受信手段に関連付けられた第１識別情報を第１識別情報格納手段から取得し、当該取得した第１識別情報を当該受信した火災信号に付加し、無線送信手段が火災信号生成手段にて第１識別情報が付加された火災信号を無線にて送信するので、有線式の火災報知端末の火災信号を容易に識別でき、火災の位置を一層容易に特定することができる。また、当該中継装置は、１つの中継装置で複数の有線式の火災報知端末に対応できるので、既設の有線式の火災報知端末から無線式の火災報知端末への取り替えに比べて、安価かつ容易に火災報知端末の無線化を実現することができる。
【符号の説明】
【００７９】
１  火災報知システム
２、３、１０２  信号線
２ａ、１０２ａ  Ａ線
２ａ１  Ａ線出力端子
２ａ２  Ａ線入力端子
２ｂ、１０２ｂ  Ｃ線
２ｂ１  Ｃ線出力端子
２ｂ２  Ｃ線入力端子
２ｃ、１０２ｃ  Ｌ線
２ｃ１  Ｌ線出力端子
２ｃ２  Ｌ線入力端子
２ｄ  Ａ−Ｃ線
２ｅ  Ｌ−Ｃ線
２ｆ、２ｇ、２ｈ  リレー
４  電源線
１０  無線式感知器
２０  第１有線式感知器
３０  第２有線式感知器
４０、１３０  発信機
４１  押しボタン部
４２  テストスイッチ部
４３  無線送信部
４４、５２、６２、７２  表示部
４５、５５、６４  電源部
４６、５６、６５、７６  制御部
４７、５７、６６、７７  記憶部
５０  有線式中継装置
５１、６１、７１  操作部
５３  有線受信部
５３ａ  第１有線受信部
５３ｂ  第２有線受信部
５４、６３  無線通信部
５６ａ  火災信号生成部
５７ａ  有線端末識別情報テーブル
６０  無線式中継装置
７０、１４０  受信装置
７３  無線受信部
７４  信号出力部
７４ａ  Ａ−Ｃ出力部
７４ｂ  Ｌ−Ｃ出力部
７５  電源回路部
７６ａ  識別情報取得部
７７ａ  移報方法テーブル
８０、１５０  受信機
１０１  防災システム
１１０  有線式感知器
１２０  無線式感知器
【図１】
0005649920.tif 000002
【図２】
0005649920.tif 000003
【図３】
0005649920.tif 000004
【図４】
0005649920.tif 000005
【図５】
0005649920.tif 000006
【図６】
0005649920.tif 000007
【図７】
0005649920.tif 000008
【図８】
0005649920.tif 000009
【図９】
0005649920.tif 000010
【図１０】
0005649920.tif 000011
【図１１】
0005649920.tif 000012
【図１２】
0005649920.tif 000013
【図１３】
0005649920.tif 000014